(57)【要約】【課題】  転倒しやすい和食器や小さな容器などが、容易に転倒しないようにする容器転倒防止クリップを提供する。【解決手段】  容器１の側壁下部を挟持する容器の転倒防止クリップであり、該クリップは略Ｃ字状の挟持腕３と逆略Ｃ字状の挟持腕２とからなり、凹部内表面が対向する一対の挟持腕を有し、挟持腕は一方の端部２１で開閉可能に連結されており、挟持腕の他の端部は互いに他方の挟持腕の下部領域１５と交差して反対側に延び出しており、挟持腕２と３は互いの間隔が狭まる方向に付勢手段４で付勢されていることを特徴とする容器の転倒防止クリップ。【選択図】  図１
2009201623.tif 000002
【特許請求の範囲】
【請求項１】
容器の側壁下部を挟持する容器の転倒防止クリップであり、該クリップは略Ｃ字状の挟持腕と逆略Ｃ字状の挟持腕とからなり、凹部内表面が対向する一対の挟持腕を有し、挟持腕は一方の端部で開閉可能に連結されており、挟持腕の他の端部は互いに他方の挟持腕の下部領域と交差して反対側に延び出しており、挟持腕は互いの間隔が狭まる方向に付勢手段で付勢されていることを特徴とする容器の転倒防止クリップ。
【請求項２】
一対の挟持腕が一方の端部でピンにより開閉可能に連結されていることを特徴とする請求項１記載の容器の転倒防止クリップ。
【請求項３】
一対の挟持腕が弾性のある金属棒・樹脂・木材により一体に形成されていることを特徴とする請求項１記載の容器の転倒防止クリップ。
【発明の詳細な説明】
【技術分野】
【０００１】
本発明は、一般家庭で使用する容器の転倒防止をするクリップに関する。
【背景技術】
【０００２】
日常使用する容器には、その高さや収容量に対して、容器の底面積が小さいものがある。それら底面の小さい容器は、手元の注意が行きとどきにくい高齢者や幼児が転倒させてしまいやすい。また、液状の飲み薬を量る容器などは、容器自体が小さく軽いので転倒しやすい。
高齢者や幼児向けに、底面が広く倒れにくいカップが市販されている。しかし高齢者の場合、自分の気に入った陶磁器で食事をしたり、お茶を飲みたいといった要望が多い。
日本の食器類には、茶碗、汁椀、湯のみ茶碗などがあるが、それらの伝統的な容器は接地する底面（高台）が小さいという形状的な特徴がある。
【０００３】
従来の、コップ類を倒れにくくする置き台に関する発明として、コイル状のバネを利用して円錐形を形成した伸縮自在のコップ安定置き台がある（特許文献１参照。）。この発明の上部の枠は飲料缶、コップなどの円形よりやや大きめにして、底部は上部の枠を安定するように大の円形状の枠としてある。収納するときは上端より押して縮め、この状態を維持するように底部に維持金具を設けたことで、持ち歩くことが容易で、飲料缶、コップなどを安定した置き台として発揮するというものがあった。
【０００４】
また特許文献２には、湾曲状に形成した本体の、凸状の頂点を中心にコップ差し込み用の穴を有し、このコップ差し込み用の穴４には吸水するスポンジ状シートを設け、さらにヒダを設けたことを特徴とする、紙コップ等転倒防止の立体コースターが提案されている。
【特許文献１】特開２００６−３２０６８０号公報
【特許文献２】特開２００６−２１８２６５号公報
【発明の開示】
【発明が解決しようとする課題】
【０００５】
しかしながら、特許文献１発明には下記のような問題がある。
コップや缶を安定させるための円錐形のコイルバネは、容器の周囲の大部分を取り囲むため、容器が持つ模様や形状などの意匠性を損ねてしまう。また特許文献１発明ではコイルバネの上部をコップや缶類の直径よりやや大きめにする、とあるため、上端部のコイルバネの直径により、使用できる容器の大きさが限定されてしまう。直径が側面の部位によって異なる樽のような形状をした容器や把手のついた容器は、上端コイルバネの中には入らないという欠点があった。
【０００６】
特許文献２発明は、紙コップやアルミ缶などの軽量の容器を倒れにくいように、スポンジシートの弾力性と、ヒダにより飲料容器を程よく固定するものである。しかし、特許文献２による固定方法では、陶磁器等の重い食器類を安定に固定するには固定力が弱い。また、特許文献２発明は、湾曲状に形成した本体に名前を書き入れると、コップを差込んだ状態でもコースターがよく見えるようにした立体的形状を持つ。このことは、この立体コースターが目立ちやすいことをあらわしていて、容器の意匠を目立たせるという目的ではない。
【０００７】
本発明が解決しようとする課題は、容器側面の下部に取り付けることにより、容器の持つ意匠性を損なわないで、大小さまざまな直径の容器でも簡単に挟持し、スプリングで強力に挟持して転倒しにくくする容器転倒防止クリップを提供することである。
【課題を解決するための手段】
【０００８】
前記課題を解決するにあたって、本発明は、
（１）容器の側壁下部を挟持する容器の転倒防止クリップであり、該クリップは略Ｃ字状の挟持腕と逆略Ｃ字状の挟持腕とからなり、凹部内表面が対向する一対の挟持腕を有し、挟持腕は一方の端部で開閉可能に連結されており、挟持腕の他の端部は互いに他方の挟持腕の下部領域と交差して反対側に延び出しており、挟持腕は互いの間隔が狭まる方向に付勢手段で付勢されていることを特徴とする容器の転倒防止クリップ。
（２）一対の挟持腕が一方の端部でピンにより開閉可能に連結されていることを特徴とする（１）記載の容器の転倒防止クリップ。
（３）一対の挟持腕が弾性のある金属棒・合成樹脂・木材により一体に形成されていることを特徴とする（１）記載の容器の転倒防止クリップ。
である。
【発明の効果】
【０００９】
本発明の容器転倒防止クリップは、転倒しやすい容器の側面底部近くに片手で取り付けることにより、容器の意匠を損なうことなく容器の接地底面の大きさを広げて、倒れやすい容器を転倒しにくくすることができる。
【発明を実施するための最良の形態】
【００１０】
本発明を実施するための最良の形態を図面を参照して説明する。なお、用語の説明として、容器転倒防止クリップがテーブルと接する側の面を下面、容器転倒防止クリップがテーブル面と接する側と反対側にある面を上面とする。また、略Ｃ字状の挟持腕と逆略Ｃ字状の挟持腕の、それぞれ凸状になった側にある面を凸側面、凹状になった側にある面を凹側面と呼ぶことにする。
【実施例１】
【００１１】
図２は本発明の第１実施例である。略Ｃ字状の挟持腕３と逆略Ｃ字状の挟持腕２とが一方の端部で板バネ４により開閉可能に連結されている。挟持腕３と挟持腕２の、連結されていない方の端１４、１３は互いに交叉して反対側に伸び出ており、挟持腕３と挟持腕２の先端付近には指を掛けやすいようにつまみ１０とつまみ９を設けている。挟持腕３と挟持腕２の凹側面には滑り止め５を設けて、容器側面との摩擦を大きくして容器がはずれにくくしている。挟持腕３の上を跨ぐようにして交叉する挟持腕２の下面には、挟持腕３が摺動する切り欠き部１５が設けられている。挟持腕２の切り欠き部で連結部に近いほうの一端にある突出部８ｂは、挟持腕３と挟持腕２の互いの間隔が狭まったときに、挟持腕３と挟持腕２がある一定の間隔以下にならないように止めるためのストッパーである。挟持腕３の交差部の凹側面は突出部８ｂに接触ことで狭まる方向への動きを止める。挟持腕３と挟持腕２が交叉して延び出した側の切り欠き部１５の連結部から遠いほうの一端にある突出部８ａは、挟持腕３の凸側面と接触することにより、挟持腕３と挟持腕２の互いの間隔が広くなりすぎないように、ストッパーとして設けている。
挟持腕３と挟持腕２の連結部には、挟持腕３と挟持腕２に板バネ４を嵌入するための溝１８を切り、板バネ４は挟持腕３と挟持腕２に切られた溝に圧入や接着剤等の固定方法で固定されている。挟持腕３と挟持腕２が連結される部分には空隙２０がある。空隙２０は挟持腕３と挟持腕２が狭まることが可能なように設けられている。挟持腕３と挟持腕２が連結される部分に嵌入されている板バネ４の中央付近の挟持腕３と挟持腕２には、板バネとの間に板バネの湾曲を妨げないように空隙１７が設けられている。挟持腕３と挟持腕２の連結部分２１は互いに上下で交叉し、面で接するようにしてある。これは挟持腕３と挟持腕２が、連結部分で互いに上下方向にねじれてしまうことを防止するためである。
【００１２】
使用方法を説明する。使用方法は実施例１から実施例３まで共通である。
テーブル上に本発明の容器転倒防止クリップを置き、つまみ部９と１０を片手の親指と人差し指でつまむ。すると挟持腕３と挟持腕２はそれぞれ凸側方向に動き、挟持腕３と挟持腕２によって囲まれた空間が広がる。広がった挟持腕３と挟持腕２の凹側空間内に、容器１の接地部分に近い底部を差し込む。つまみ部９と１０をつまんだ指の力を緩めると、挟持腕３と挟持腕２を狭まる方向に付勢する板バネ４が元に戻る力により、挟持腕３と挟持腕２の囲む凹側空間が狭まり、容器１が挟持腕３と挟持腕２により滑り止め５を介して挟持される。容器を使用するときは、転倒防止クリップを取り付けたまま使用してもよいし、取り外して容器だけを持ち上げてもよい。
本発明の容器の転倒防止クリップは、片手でつまむ動作で簡単に容器に取り付けることができ、スプリングの力により強力に容器を挟持することができる。また、構造が単純なため、清掃もしやすい。
【実施例２】
【００１３】
図３は本発明の第２実施例である。
一対の挟持腕３と挟持腕２が一方の端部でピン６により開閉可能に連結されている。挟持腕３と挟持腕２の凹側面には、滑り止め５を設けている。挟持腕３と挟持腕２の連結部付近の凸側面には、挟持腕３と挟持腕２の間隔が狭まる方向に付勢するためのスプリング７を差し込むための穴１２が設けられている。挟持腕３と挟持腕２を互いに狭まる方向に付勢するためのスプリング７の両端は、挟持腕３と挟持腕２にそれぞれ設けた穴１２に差し込まれている。挟持腕３の上を跨ぐようにして交叉する挟持腕２の下面には、挟持腕３が摺動する切り欠き部１５が設けられている。挟持腕２の切り欠き部で連結部に近いほうの一端にある突出部８ｂは、挟持腕３と挟持腕２の互いの間隔が狭まったときに、挟持腕３と挟持腕２がある一定の間隔以下にならないように止めるためのストッパーである。
挟持腕３と挟持腕２が交叉して延び出した側の、挟持腕２の連結部から遠いほうの切り欠き部の一端にある突出部８ａは、挟持腕３の凸側面と接触することにより、挟持腕３と挟持腕２の互いの間隔が広くなりすぎないようにストッパーとして設けている
【００１４】
図１は本発明の実施例２の容器転倒防止クリップをテーブル上に置き、容器１の側面底部に取り付けている状態を示す。
【００１５】
図５は容器転倒防止クリップの実施例２の、図１に示すＸ−Ｘ´断面図である。
連結部２１では挟持腕３が挟持腕２の上面で交叉し、ピン６で開閉可能に連結されている。交叉部１５では挟持腕２が挟持腕３の上面と接するように交叉している。挟持腕３と挟持腕２は、容器１の側壁下部のテーブル面２２と接する部分付近に、滑り止め５を介して容器１を挟持している。連結部２１では、挟持腕３と挟持腕２が上下で接する面を広く取ることにより、挟持腕３と挟持腕２が上下方向にねじれて挟持腕３と挟持腕２が容器１の側面底部から外れてしまうのを防止している。交叉部１５においては、挟持腕２が挟持腕３の上面と接するように交叉し、挟持腕２が挟持腕３の上を摺動するように動く。
挟持腕２に設けられた傾斜面１９ａと挟持腕３に設けられた傾斜面１９ｂは、挟持腕３と挟持腕２が容器１の側面の凸部１１に当たらないようにするために設けている。
【００１６】
図６は実施例２の容器転倒防止クリップの下面の斜視図である。挟持腕３と挟持腕２と、突出部１３と突出部１４の下面は同一平面上になっている。下面に一ヶ所以上の滑り止め５を設けることにより、テーブル等が傾斜していても容器が滑り落ちるのを防止することができる。
【実施例３】
【００１７】
図４は本発明の第３実施例である。
略Ｃ字状の挟持腕３・逆略Ｃ字状の挟持腕２・挟持腕３・挟持腕２の互いの間隔が狭まる方向に動かす付勢手段・挟持腕３が摺動する切り欠き部・挟持腕３・挟持腕２がある一定の間隔以下にならないように止めるためのストッパー８ｂ・指を掛けて押しやすくするためのつまみ９・１０を一体として成形した容器転倒防止クリップの一例である。
突出部１４に設けてある空隙１６は、突出部１３が突出部１４に沿って摺動するように設けてある。これはつまみ９と１０を指でつまんで挟持腕３と挟持腕２を広げたとき、または容器を挟持しているときに挟持腕３と挟持腕２が互いに上下方向にねじれてしまうことを防止するために設けてある。
一体として成形する素材として、金属棒・合成樹脂・木材・竹・籐などの弾性を有する材料が挙げられる。
【００１８】
なお、本発明は、上記実施例に限定されるものではなく、たとえば、以下のものも含まれる。
（１）前記実施例では、挟持腕として略Ｃ字状の例を示したが、形状は各種変形可能であり、例えば、く字状としてもよい。
（２）挟持腕の一方が略Ｃ字状で、もう一方の挟持腕がく字状という組み合わせも可能である。
（３）連結部２１での挟持腕３と挟持腕２の上下の重なりかたについては、実施例に示した重なり方と逆の重なり方でもよい。また、交叉部１５においての交叉方法の重なりかたについても、実施例に示した上下の重なり方と逆の重なり方でもよい。
（４）挟持する容器の形状により、本容器転倒防止クリップの上下の面を逆にして利用することもできる。
【図面の簡単な説明】
【００１９】
【図１】湯飲み茶碗を挟持した状態の容器転倒防止クリップの斜視図である。
【図２】実施例１の容器転倒防止クリップの斜視図である。
【図３】実施例２の容器転倒防止クリップの斜視図である。
【図４】実施例３の容器転倒防止クリップの斜視図である
【図５】図２におけるX−X´断面図である。
【図６】実施例２の容器転倒防止クリップを下面からみた斜視図である。
【図７】実施例２の閉じた状態の容器転倒防止クリップの上面図である
【図８】開いた状態の容器転倒防止クリップの上面図である
【符号の説明】
【００２０】
１  容器
２、３  挟持腕
４  板バネ
５  すべり止め
６  ピン
７  スプリング
８ａ、８ｂ  ストッパー
９、１０  つまみ
１１  容器の膨らみ
１２  穴
１３、１４  突出部
１５  切り欠き部
１８  溝
１９ａ、１９ｂ  傾斜面
１７、２０  空隙
２１  嵌合部
２２  テーブル
【図１】
2009201623.tif 000003
【図２】
2009201623.tif 000004
【図３】
2009201623.tif 000005
【図４】
2009201623.tif 000006
【図５】
2009201623.tif 000007
【図６】
2009201623.tif 000008
【図７】
2009201623.tif 000009
【図８】
2009201623.tif 000010